(57)【要約】【課題】被験者の心拍情報に基づいて精度よく睡眠段階を判定できる睡眠判定装置及び睡眠判定方法を提供すること。【解決手段】被験者の心拍を取得し（Ｓ１０）、取得された心拍に基づいて心拍ごとの心拍周期を演算しその心拍周期の前後の差分値を一次差分値とし、その一次差分値の前後の差分値を二次差分値として予め設定されたＮ次差分値まで演算し（Ｓ１２）、心拍周期及び一次差分値からＮ次差分値までの差分値について、所定時間におけるそれぞれの値の分布を示すリターンマップ及びヒストグラムを生成し（Ｓ１４、Ｓ１６）、予め設定される睡眠段階ごとの判定用リターンマップ、ヒストグラムを参照し、生成したリターンマップ及びヒストグラムに基づいて被験者の睡眠段階を判定する（Ｓ２０）。【選択図】図９
2010057551.tif 000002
【特許請求の範囲】
【請求項１】
被験者の心拍を取得する心拍取得手段と、
前記心拍取得手段により取得された心拍に基づいて心拍ごとの心拍周期を演算し、その心拍周期の前後の差分値を一次差分値とし、その一次差分値の前後の差分値を二次差分値として、予め設定されたＮ次差分値まで演算する差分演算手段と、
前記差分演算手段により演算された心拍周期及び一次差分値からＮ次差分値までの差分値について、所定時間におけるそれぞれの値の分布を示す分布データを生成する分布データ生成手段と、
予め設定される睡眠段階ごとの判定用分布データを参照し、前記分布データ生成手段により生成された分布データに基づいて前記被験者の睡眠段階を判定する睡眠判定手段と、
を備えた睡眠判定装置。
【請求項２】
前記分布データ生成手段は、前記差分演算手段により演算された心拍周期及び一次差分値からＮ次差分値までの差分値について、所定時間における前記心拍周期及び差分値の前後の値をパラメータとするリターンマップを生成し、
前記睡眠判定手段は、前記分布データ生成手段により生成されたリターンマップと予め睡眠段階ごとに設定された判定用リターンマップと対比して前記被験者の睡眠段階を判定する、
請求項１に記載の睡眠判定装置。
【請求項３】
前記睡眠判定手段は、近接する睡眠段階において分離度の高い識別用リターンマップを予め設定し、前記分布データ生成手段により生成されたリターンマップと前記識別用リターンマップと対比して前記被験者の睡眠段階を判定する、
請求項２に記載の睡眠判定装置。
【請求項４】
前記分布データ生成手段は、前記差分演算手段により演算された心拍周期及び一次差分値からＮ次差分値におけるヒストグラムを生成し、
前記睡眠判定手段は、前記分布データ生成手段により生成されたヒストグラムと予め睡眠段階ごとに設定された判定用ヒストグラムと対比して前記被験者の睡眠段階を判定する、
請求項１〜３のいずれか一項に記載の睡眠判定装置。
【請求項５】
前記睡眠判定手段は、近接する睡眠段階において分離度の高い識別用ヒストグラムを予め設定し、前記分布データ生成手段により生成されたヒストグラムと前記識別用ヒストグラムと対比して前記被験者の睡眠段階を判定する、
請求項４に記載の睡眠判定装置。
【請求項６】
被験者の心拍を取得する心拍取得工程と、
前記心拍取得工程により取得された心拍に基づいて心拍ごとの心拍周期を演算し、その心拍周期の前後の差分値を一次差分値とし、その一次差分値の前後の差分値を二次差分値として、予め設定されたＮ次差分値まで演算する差分演算工程と、
前記差分演算工程により演算された心拍周期及び一次差分値からＮ次差分値までの差分値について、所定時間におけるそれぞれの値の分布を示す分布データを生成する分布データ生成工程と、
予め設定される睡眠段階ごとの判定用分布データを参照し、前記分布データ生成工程により生成された分布データに基づいて前記被験者の睡眠段階を判定する睡眠判定工程と、
を備えた睡眠判定方法。
【請求項７】
前記分布データ生成工程は、前記差分演算工程により演算された心拍周期及び一次差分値からＮ次差分値までの差分値について、所定時間における前記心拍周期及び差分値の前後の値をパラメータとするリターンマップを生成し、
前記睡眠判定工程は、前記分布データ生成工程により生成されたリターンマップと予め睡眠段階ごとに設定された判定用リターンマップと対比して前記被験者の睡眠段階を判定する、
請求項６に記載の睡眠判定方法。
【請求項８】
前記睡眠判定工程は、近接する睡眠段階において分離度の高い識別用リターンマップを予め設定し、前記分布データ生成工程により生成されたリターンマップと前記識別用リターンマップと対比して前記被験者の睡眠段階を判定する、
請求項７に記載の睡眠判定方法。
【請求項９】
前記分布データ生成工程は、前記差分演算手段により演算された心拍周期及び一次差分値からＮ次差分値におけるヒストグラムを生成し、
前記睡眠判定工程は、前記分布データ生成工程により生成されたヒストグラムと予め睡眠段階ごとに設定された判定用ヒストグラムと対比して前記被験者の睡眠段階を判定する、
請求項６〜８のいずれか一項に記載の睡眠判定方法。
【請求項１０】
前記睡眠判定工程は、近接する睡眠段階において分離度の高い識別用ヒストグラムを予め設定し、前記分布データ生成手段により生成されたヒストグラムと前記識別用ヒストグラムと対比して前記被験者の睡眠段階を判定する、
請求項９に記載の睡眠判定方法。
【発明の詳細な説明】
【技術分野】
【０００１】
本発明は、被験者の睡眠段階を判定する睡眠判定装置及び睡眠判定方法に関するものである。
【背景技術】
【０００２】
従来、被験者の睡眠段階を判定するものとして、特開２００５−１５２３１０号公報に記載されるように、エアマットに設けた通気部を流れる流体の流速、流量センサで測定される生体の心拍変動情報及び体動情報に基づいて睡眠の段階を推定するものが知られている。この推定装置及び推定方法は、エアマットで横たわる被験者を無拘束状態で睡眠段階を推定しようとするものである。
【特許文献１】特開２００５−１５２３１０号公報
【発明の開示】
【発明が解決しようとする課題】
【０００３】
しかしながら、このような睡眠段階の推定技術にあっては、睡眠段階の推定にあたりエアマットなどの特別な器具が必要となり、体動情報の取得も必要となる。エアマットなどの特別な装置を用いて睡眠段階を判定できない場合や体動情報が得られない場合など、心拍情報だけで被験者の睡眠段階をできるだけ正確に判定できる装置、方法の開発が望まれている。
【０００４】
そこで本発明は、このような問題点を解決するためになされたものであって、被験者の心拍情報に基づいて精度よく睡眠段階を判定できる睡眠判定装置及び睡眠判定方法を提供することを目的とする。
【課題を解決するための手段】
【０００５】
すなわち、本発明に係る睡眠判定装置は、被験者の心拍を取得する心拍取得手段と、前記心拍取得手段により取得された心拍に基づいて心拍ごとの心拍周期を演算し、その心拍周期の前後の差分値を一次差分値とし、その一次差分値の前後の差分値を二次差分値として、予め設定されたＮ次差分値まで演算する差分演算手段と、前記差分演算手段により演算された心拍周期及び一次差分値からＮ次差分値までの差分値について、所定時間におけるそれぞれの値の分布を示す分布データを生成する分布データ生成手段と、予め設定される睡眠段階ごとの判定用分布データを参照し、前記分布データ生成手段により生成された分布データに基づいて前記被験者の睡眠段階を判定する睡眠判定手段とを備えて構成されている。
【０００６】
この発明によれば、被験者の心拍ごとの心拍周期を演算し、その心拍周期の前後の差分値を一次差分値とし、その一次差分値の前後の差分値を二次差分値として、予め設定されたＮ次差分値まで演算し、その心拍周期及び一次差分値からＮ次差分値までの差分値においてそれぞれの値の分布を示す分布データを生成し、予め設定される睡眠段階ごとの判定用分布データを参照し分布データ生成手段により生成された分布データに基づいて被験者の睡眠段階を判定することにより、被験者の心拍周期の変動状態のみならず、その変動状態の変動状態などを加味して被験者の睡眠段階を識別することができる。このため、被験者の睡眠段階を心拍情報に基づいて精度よく判定することができる。
【０００７】
また本発明に係る睡眠判定装置において、前記分布データ生成手段は、前記差分演算手段により演算された心拍周期及び一次差分値からＮ次差分値までの差分値について、所定時間における前記心拍周期及び差分値の前後の値をパラメータとするリターンマップを生成し、前記睡眠判定手段は、前記分布データ生成手段により生成されたリターンマップと予め睡眠段階ごとに設定された判定用リターンマップと対比して前記被験者の睡眠段階を判定することが好ましい。
【０００８】
この発明によれば、差分演算手段により演算された心拍周期及び一次差分値からＮ次差分値までの差分値において前後の値をパラメータとするリターンマップを生成し、その生成されたリターンマップと予め睡眠段階ごとに設定された判定用リターンマップと対比して被験者の睡眠段階を判定することにより、被験者の心拍周期及びその変動状態などの時間的変化に基づいて被験者の睡眠段階を精度よく識別することができる。
【０００９】
また本発明に係る睡眠判定装置において、前記睡眠判定手段は、近接する睡眠段階において分離度の高い識別用リターンマップを予め設定し、前記分布データ生成手段により生成されたリターンマップと前記識別用リターンマップと対比して前記被験者の睡眠段階を判定することが好ましい。
【００１０】
この発明によれば、近接する睡眠段階において分離度の高い識別用リターンマップを予め設定し、分布データ生成手段により生成されたリターンマップと識別用リターンマップと対比して被験者の睡眠段階を判定することにより、被験者の睡眠段階を精度よく識別することができる。
【００１１】
また本発明に係る睡眠判定装置において、前記分布データ生成手段は、前記差分演算手段により演算された心拍周期及び一次差分値からＮ次差分値におけるヒストグラムを生成し、前記睡眠判定手段は、前記分布データ生成手段により生成されたヒストグラムと予め睡眠段階ごとに設定された判定用ヒストグラムと対比して前記被験者の睡眠段階を判定することが好ましい。
【００１２】
この発明によれば、差分演算手段により演算された心拍周期及び一次差分値からＮ次差分値までの差分値におけるヒストグラムを生成し、その生成されたヒストグラムと予め睡眠段階ごとに設定された判定用ヒストグラムと対比して被験者の睡眠段階を判定することにより、被験者の心拍周期及びその変動状態などの統計的データを加味して被験者の睡眠段階を精度よく識別することができる。
【００１３】
また本発明に係る睡眠判定装置において、前記睡眠判定手段は、近接する睡眠段階において分離度の高い識別用ヒストグラムを予め設定し、前記分布データ生成手段により生成されたヒストグラムと前記識別用ヒストグラムと対比して前記被験者の睡眠段階を判定することが好ましい。
【００１４】
この発明によれば、判定用ヒストグラムとして近接する睡眠段階において分離度の高い識別用ヒストグラムを予め設定し、分布データ生成手段により生成されたヒストグラムと識別用ヒストグラムと対比して被験者の睡眠段階を判定することにより、被験者の睡眠段階を精度よく識別することができる。
【００１５】
また本発明に係る睡眠判定方法は、被験者の心拍を取得する心拍取得工程と、前記心拍取得工程により取得された心拍に基づいて心拍ごとの心拍周期を演算し、その心拍周期の前後の差分値を一次差分値とし、その一次差分値の前後の差分値を二次差分値として、予め設定されたＮ次差分値まで演算する差分演算工程と、前記差分演算工程により演算された心拍周期及び一次差分値からＮ次差分値までの差分値について、所定時間におけるそれぞれの値の分布を示す分布データを生成する分布データ生成工程と、予め設定される睡眠段階ごとの判定用分布データを参照し、前記分布データ生成工程により生成された分布データに基づいて前記被験者の睡眠段階を判定する睡眠判定工程とを備えて構成されている。
【００１６】
この発明によれば、被験者の心拍ごとの心拍周期を演算し、その心拍周期の前後の差分値を一次差分値とし、その一次差分値の前後の差分値を二次差分値として、予め設定されたＮ次差分値まで演算し、その心拍周期及び一次差分値からＮ次差分値までの差分値においてそれぞれの値の分布を示す分布データを生成し、予め設定される睡眠段階ごとの判定用分布データを参照し分布データ生成手段により生成された分布データに基づいて被験者の睡眠段階を判定することにより、被験者の心拍周期の変動状態のみならず、その変動状態の変動状態などを加味して被験者の睡眠段階を識別することができる。このため、被験者の睡眠段階を精度よく判定することができる。
【００１７】
また本発明に係る睡眠判定方法において、前記分布データ生成工程は、前記差分演算工程により演算された心拍周期及び一次差分値からＮ次差分値までの差分値について、所定時間における前記心拍周期及び差分値の前後の値をパラメータとするリターンマップを生成し、前記睡眠判定工程は、前記分布データ生成工程により生成されたリターンマップと予め睡眠段階ごとに設定された判定用リターンマップと対比して前記被験者の睡眠段階を判定することが好ましい。
【００１８】
この発明によれば、差分演算工程により演算された心拍周期及び一次差分値からＮ次差分値までの差分値において前後の値をパラメータとするリターンマップを生成し、その生成されたリターンマップと予め睡眠段階ごとに設定された判定用リターンマップと対比して被験者の睡眠段階を判定することにより、被験者の心拍周期及びその変動状態などの時間的変化に基づいて被験者の睡眠段階を精度よく識別することができる。
【００１９】
また本発明に係る睡眠判定方法において、前記睡眠判定工程は、近接する睡眠段階において分離度の高い識別用リターンマップを予め設定し、前記分布データ生成工程により生成されたリターンマップと前記識別用リターンマップと対比して前記被験者の睡眠段階を判定することが好ましい。
【００２０】
この発明によれば、近接する睡眠段階において分離度の高い識別用リターンマップを予め設定し、分布データ生成手段により生成されたリターンマップと識別用リターンマップと対比して被験者の睡眠段階を判定することにより、被験者の睡眠段階を精度よく識別することができる。
【００２１】
また本発明に係る睡眠判定方法において、前記分布データ生成工程は、前記差分演算手段により演算された心拍周期及び一次差分値からＮ次差分値におけるヒストグラムを生成し、前記睡眠判定工程は、前記分布データ生成工程により生成されたヒストグラムと予め睡眠段階ごとに設定された判定用ヒストグラムと対比して前記被験者の睡眠段階を判定することが好ましい。
【００２２】
この発明によれば、差分演算工程により演算された心拍周期及び一次差分値からＮ次差分値までの差分値におけるヒストグラムを生成し、その生成されたヒストグラムと予め睡眠段階ごとに設定された判定用ヒストグラムと対比して被験者の睡眠段階を判定することにより、被験者の心拍周期及びその変動状態などの統計的データを加味して被験者の睡眠段階を精度よく識別することができる。
【００２３】
また本発明に係る睡眠判定方法において、前記睡眠判定工程は、近接する睡眠段階において分離度の高い識別用ヒストグラムを予め設定し、前記分布データ生成手段により生成されたヒストグラムと前記識別用ヒストグラムと対比して前記被験者の睡眠段階を判定することが好ましい。
【００２４】
この発明によれば、判定用ヒストグラムとして近接する睡眠段階において分離度の高い識別用ヒストグラムを予め設定し、分布データ生成手段により生成されたヒストグラムと識別用ヒストグラムと対比して被験者の睡眠段階を判定することにより、被験者の睡眠段階を精度よく識別することができる。
【発明の効果】
【００２５】
本発明によれば、被験者の心拍情報に基づいて精度よく被験者の睡眠段階を判定することができる。
【発明を実施するための最良の形態】
【００２６】
以下、添付図面を参照して本発明の実施の形態を詳細に説明する。なお、図面の説明において同一の要素には同一の符号を付し、重複する説明を省略する。
【００２７】
図１は本実施形態に係る睡眠判定装置の概略構成図である。
【００２８】
図１に示すように、本実施形態に係る睡眠判定装置１は、被験者の睡眠状態を判定する装置であって、例えば車両に設置され、駐車場等で安静中の被験者である運転者の睡眠段階、すなわち睡眠の深さレベル（睡眠レベル）の判定に適用されるものである。
【００２９】
この睡眠判定装置１は、例えば心拍検出部２、ＥＣＵ（ElectronicControl Unit）３及び出力部４を備えて構成される。心拍検出部２は、被験者の心拍を取得する心拍取得手段として機能するものであって、例えば心電図検査器に用いられる電極部のように心拍に対応した微弱な電流を検知するものが用いられる。なお、この心拍検出部２としては、被験者の心電図波形などの心拍状態を検出できるものであればいずれのものを用いてもよい。また、車両の運転者の心拍状態を検出する場合、例えば心拍検出部２が運転シートに設置されることが好ましい。
【００３０】
ＥＣＵ３は、睡眠判定装置１全体の制御を行うものであって、例えばＣＰＵ、ＲＯＭ、ＲＡＭを含むコンピュータを主体として構成されている。ＥＣＵ３は、差分演算部３１、リターンマップ生成部３２、ヒストグラム生成部３３、睡眠判定部３４、データベース３５を備えている。
【００３１】
差分演算部３１は、心拍検出部２から出力される心拍信号に基づいて心拍ごとの心拍周期を演算し、その心拍周期の前後の差分値を一次差分値とし、その一次差分値の前後の差分値を二次差分値として、予め設定されたＮ次差分値まで演算する差分演算手段と機能するものである。
【００３２】
例えば、図２に示すように、被験者の心拍信号におけるＲ波とＲ波の時間Ｘ（ＲＲＩ）が一つの心拍周期として演算され、連続して心拍周期Ｘ０、Ｘ１、…、Ｘｎが演算される。そして、心拍周期の前後の差分値として一次差分値Ｘ０（１）、Ｘ１（１）…が演算され、その一次差分値の前後の差分値として二次差分値Ｘ０（２）、Ｘ１（２）…が演算され、予め設定されたＮ次差分値Ｘ０（Ｎ）、Ｘ１（Ｎ）…まで演算される。
【００３３】
心拍周期の差分値Ｘｋ（Ｎ）は、次の式（１）により算出される。
【００３４】
Ｘｋ（Ｎ）＝Ｘｋ＋１（Ｎ−１）−Ｘｋ（Ｎ−１）  …  （１）
【００３５】
Ｘｋ＋１（Ｎ−１）、Ｘｋ（Ｎ−１）は、Ｎ−１次差分値において経時的に前後する差分値である。このＸｋ＋１（Ｎ−１）、Ｘｋ（Ｎ−１）の差として、Ｘｋ（Ｎ）が演算される。
【００３６】
図３に心拍周期及び心拍周期の差分値の説明図を示す。
【００３７】
図３に示すように、心拍信号が入力されるごとに心拍周期Ｘｋが演算され、式（１）を用いて一次差分値Ｘｋ−１（１）からＮ次差分値Ｘｋ−Ｎ（Ｎ）まで演算される。例えば、Ｘ０が１．０ｓ（秒）、Ｘ１が１．２ｓである場合、その一次差分値Ｘ０（１）は０．２ｓとなる。二次差分値Ｘ０（２）は、一次差分値Ｘ０（１）と一次差分値Ｘ１（１）の差として演算される。
【００３８】
リターンマップ生成部３２は、心拍周期及び一次差分値からＮ次差分値までの差分値について時系列に前後する値をパラメータとするリターンマップを生成するマップ生成手段として機能するものである。
【００３９】
図４は、Ｘｋ−１、Ｘｋをパラメータとする心拍周期（０次差分値）のリターンマップを生成した一例を示したものである。例えば、Ｘｋ−１の値を横軸とし、Ｘｋの値を縦軸としてデータをプロットして心拍周期のリターンマップが生成される。このとき、予め設定された所定時間（例えば、計測時間３０秒）における心拍周期についてリターンマップを生成すればよい。このようにして、一次差分値からＮ次差分値までの差分値についても、その差分値ごとに前後する値をパラメータとするリターンマップが生成される。
【００４０】
ヒストグラム生成部３３は、心拍周期及び一次差分値からＮ次差分値までの差分値のヒストグラムを生成するヒストグラム生成手段として機能するものである。例えば、図５に示すように、横軸を所定時間（例えば３０秒）ごとの標準偏差またはＸｋ（Ｎ）、縦軸を頻度として予め設定された所定時間（例えば、計測時間１０分）における心拍周期データ及び差分値データについてそれぞれヒストグラムが生成される。
【００４１】
なお、心拍周期及び差分値のリターンマップ及びヒストグラムは、このように心拍周期及び差分値の全てについて生成する場合もあるが、予め設定されたものだけを生成する場合もある。
【００４２】
睡眠判定部３４は、予め設定される睡眠段階ごとの判定用分布データを参照し、生成された分布データ、すなわちリターンマップ、ヒストグラムに基づいて被験者の睡眠段階を判定する睡眠判定手段として機能するものである。睡眠段階としては、例えばＳ０〜Ｓ４の五段階として設定される。
【００４３】
リターンマップにより被験者の睡眠段階を判定する場合、被験者の心拍状態に基づいて生成されたリターンマップと予め睡眠段階ごとに設定された判定用リターンマップと対比して被験者の睡眠段階が判定される。
【００４４】
例えば、心拍周期、一次差分値からＮ次差分値のいずれかについて、予め睡眠段階がわかっている心拍信号に基づき判定用リターンマップが生成され、その判定用リターンマップと被験者の心拍状態に基づくリターンマップを対比して、被験者の睡眠段階が判定される。
【００４５】
図６に判定用リターンマップの一例を示す。
【００４６】
図６の判定用リターンマップは、Ｘｋ−１、Ｘｋをパラメータとする心拍周期（０次差分値）のリターンマップを生成した一例を示したものである。例えば、Ｘｋ−１の値を横軸としＸｋの値を縦軸として睡眠段階Ｓ０〜Ｓ４のうち睡眠段階Ｓ１〜Ｓ３の判別を行うものとして用いられる。図６のリターンマップにおける領域Ｓ１〜Ｓ３は、予め睡眠段階がわかっている心拍信号に基づいて心拍周期を演算し、リターンマップにプロットした際に形成される領域によって設定されたものである。睡眠段階Ｓ０、Ｓ４については、図６とは別に設定されるリターンマップにより判別すればよい。
【００４７】
図６の判定用リターンマップと被験者の心拍信号に基づくリターンマップを対比し、例えば被験者の所定時間（例えば３０秒）における心拍信号に基づくリターンマップのデータ領域Ｓｘが領域Ｓ２内に入っている場合には、被験者の睡眠段階がＳ２であると判定される。
【００４８】
一方、被験者の所定時間（例えば３０秒）における心拍信号に基づくリターンマップのデータ領域Ｓｘが領域Ｓ２とＳ３の双方に入っている場合には、睡眠段階Ｓ２とＳ３を識別するための識別用リターンマップを用いて睡眠段階を判定することが好ましい。
【００４９】
図７に示すように、予め睡眠段階がわかっている心拍信号（教師信号）を用いて心拍周期の０次リターンマップ、一次差分値の一次リターンマップ、二次差分値の二次リターンマップ…、Ｎ次差分値のＮ次リターンマップが作成され、睡眠段階Ｓ０とＳ１の分離度の高いリターンマップ、Ｓ１とＳ２の分離度の高いリターンマップ、Ｓ２とＳ３の分離度の高いリターンマップ、Ｓ３とＳ４の分離度の高いリターンマップがそれぞれ識別用リターンマップとして選択される。この選択の仕方としては、例えば近接する睡眠段階のリターンマップにおいてデータ領域が最も分離しているリターンマップを選択すればよい。
【００５０】
図７においては、睡眠段階Ｓ０、Ｓ１の識別用リターンマップとして０次リターンマップのＳ０、Ｓ１が設定され、睡眠段階Ｓ１、Ｓ２の識別用リターンマップとして２次リターンマップのＳ１、Ｓ２が設定され、睡眠段階Ｓ２、Ｓ３の識別用リターンマップとして１次リターンマップのＳ２、Ｓ３が設定され、睡眠段階Ｓ３、Ｓ４の識別用リターンマップとしてＮ次リターンマップのＳ３、Ｓ４が設定されている。図７のリターンマップにおける円形の領域はデータ領域を表している。
【００５１】
そして、識別すべき睡眠段階の識別用リターンマップを用い、被験者の心拍信号に基づくリターンマップがより近似する識別用リターンマップを抽出し、抽出された識別用リターンマップの睡眠段階が被験者の睡眠段階として判定される。
【００５２】
また、判定用リターンマップにおいて、睡眠段階の領域以外の領域にデータ領域がある場合には、被験者のデータが異常であると判断することが好ましい。これにより、被験者について誤った睡眠段階が判定されることを防止することができる。
【００５３】
一方、ヒストグラムにより被験者の睡眠段階を判定する場合、被験者の心拍状態に基づいて生成されたヒストグラムと予め睡眠段階ごとに設定された判定用ヒストグラムと対比して被験者の睡眠段階が判定される。
【００５４】
例えば、心拍周期、一次差分値からＮ次差分値のいずれかについて、予め睡眠段階がわかっている心拍信号に基づき判定用ヒストグラムが生成され、その判定用ヒストグラムと被験者の心拍状態に基づくヒストグラムを対比して、被験者の睡眠段階が判定される。
【００５５】
また、被験者の心拍信号に基づくヒストグラムが判定用ヒストグラムを用いても睡眠段階の判定が困難な場合には、睡眠段階を識別するための識別用リターンマップを用いて睡眠段階を判定することが好ましい。
【００５６】
例えば、図８に示すように、予め睡眠段階がわかっている心拍信号を用いて心拍周期の０次ヒストグラム、一次差分値の一次ヒストグラム、二次差分値の二次ヒストグラム…、Ｎ次差分値のＮ次ヒストグラムが作成され、睡眠段階Ｓ０とＳ１の分離度の高いヒストグラム、Ｓ１とＳ２の分離度の高いヒストグラム、Ｓ２とＳ３の分離度の高いヒストグラム、Ｓ３とＳ４の分離度の高いヒストグラムがそれぞれ識別用ヒストグラムとして選択される。この選択の仕方としては、例えば近接する睡眠段階のヒストグラムにおいてデータ領域が最も分離しているヒストグラムを選択すればよい。
【００５７】
図８においては、睡眠段階Ｓ０、Ｓ１の識別用ヒストグラムとして２次ヒストグラムのＳ０、Ｓ１が設定され、睡眠段階Ｓ１、Ｓ２の識別用ヒストグラムとして０次ヒストグラムのＳ１、Ｓ２が設定され、睡眠段階Ｓ２、Ｓ３の識別用ヒストグラムとして１次ヒストグラムのＳ２、Ｓ３が設定され、睡眠段階Ｓ３、Ｓ４の識別用ヒストグラムとしてＮ次ヒストグラムのＳ３、Ｓ４が設定されている。図８の各ヒストグラムは、棒グラフ状のヒストグラムを近似的に曲線で表している。図８に用いられるヒストグラムは、棒グラフ状のものであってもよい。
【００５８】
そして、識別すべき睡眠段階の識別用ヒストグラムを用い、被験者の心拍信号に基づくヒストグラムがより近似する識別用ヒストグラムを抽出し、抽出された識別用ヒストグラムの睡眠段階が被験者の睡眠段階として判定される。
【００５９】
また、判定用ヒストグラムにおいて、睡眠段階の領域以外の領域にデータ領域がある場合には、被験者のデータが異常であると判断することが好ましい。これにより、被験者について誤った睡眠段階が判定されることを防止することができる。
【００６０】
また、リターンマップとヒストグラムの双方を用いて被験者の睡眠段階を判定してもよい。
【００６１】
例えば、被験者の心拍信号に基づいて生成されたリターンマップ及びヒストグラムについて、判定用リターンマップ及び判定用ヒストグラムを用いて被験者の睡眠段階が判定される。このとき、例えば睡眠段階がＳ１、Ｓ２のいずれかであるか判定し難い場合など近接する睡眠段階において判定が困難な場合には、識別用リターンマップ及び識別用ヒストグラムを用いて被験者の睡眠段階が判定される。
【００６２】
その際、識別に用いる識別用リターンマップと識別用ヒストグラムにおいて、睡眠段階の分離度の高い方を用いて被験者の睡眠段階の識別することが好ましい。例えば、識別用リターンマップにおける睡眠段階の分離度が９０％であり、識別用ヒストグラムにおける睡眠段階の分離度が７０％である場合、分離度の高い識別用リターンマップを用いて被験者の睡眠段階が識別される。
【００６３】
図１において、データベース３５は、判定用リターンマップ、判定用ヒストグラム、識別用リターンマップ、識別用ヒストグラムなど睡眠段階判定用データを記録する記録手段として機能するものである。出力部４は、ＥＣＵ３により判定された被験者の睡眠段階を出力するものであり、表示モニタなどが用いられる。
【００６４】
次に本実施形態に係る睡眠判定装置の動作及び本実施形態に係る睡眠判定方法について説明する。
【００６５】
図９は、本実施形態に係る睡眠判定装置の動作及び本実施形態に係る睡眠判定方法を示すフローチャートである。この図９の制御処理は、例えばＥＣＵ３によって所定の周期を繰り返し実行される。
【００６６】
まず、図９のＳ１０に示すように、心拍信号の読み込み処理が行われる。心拍信号の読み込み処理は、心拍検出部２により出力される被験者の心拍信号を読み込む処理である。心拍信号は、図２に示すように心拍に応じて繰り返しＲ波を生じる波形で入力される。
【００６７】
そして、Ｓ１２に移行し、差分信号演算処理が行われる。差分信号演算処理は、心拍信号に基づいて心拍ごとの心拍周期を演算し、その心拍周期の前後の差分値を一次差分値とし、その一次差分値の前後の差分値を二次差分値として、予め設定されたＮ次差分値まで演算する差分演算する処理である。
【００６８】
例えば、心拍周期は、心拍信号からＲ波を検出し、繰り返し検出されるＲ波とＲ波の間の時間として算出される。そして、図３のように、心拍周期Ｘ０、Ｘ１、…、Ｘｋが演算されると、心拍周期の前後の差分値として一次差分値Ｘ０（１）、Ｘ１（１）…が演算され、その一次差分値の前後の差分値として二次差分値Ｘ０（２）、Ｘ１（２）…が演算され、予め設定されたＮ次差分値Ｘ０（Ｎ）、Ｘ１（Ｎ）…まで演算される。心拍周期の差分値Ｘｋ（Ｎ）は、上述した式（１）により算出される。
【００６９】
そして、図９のＳ１４に移行し、リターンマップ生成処理が行われる。リターンマップ生成処理は、心拍周期、一次差分値からＮ次差分値までの差分値について時系列に前後する値をパラメータとするリターンマップを生成する処理である。例えば、図４に示すように、Ｘｋ−１、Ｘｋをパラメータとする心拍周期（０次差分値）のリターンマップを生成し、それと同様にしてＸｋ−１（１）、Ｘｋ（１）をパラメータとする一次差分値のリターンマップを生成し、Ｘｋ−１（２）、Ｘｋ（２）をパラメータとする二次差分値のリターンマップを生成し、Ｎ次差分値までのリターンマップを生成する。
【００７０】
なお、リターンマップ生成処理において、心拍周期、一次差分値からＮ次差分値までの全てのリターンマップを生成せず、心拍周期、一次差分値からＮ次差分値のうち被験者の睡眠段階の判定に必要なリターンマップのみを生成する場合もある。
【００７１】
そして、Ｓ１６に移行し、ヒストグラム生成処理が行われる。ヒストグラム生成処理は、心拍周期、一次差分値からＮ次差分値までの差分値についてのヒストグラムを生成する処理である。例えば、図５に示すように、所定時間において検出される心拍周期（０次差分値）のヒストグラムを生成し、所定時間において検出される一次差分値からＮ次差分値までのヒストグラムを生成する。
【００７２】
なお、ヒストグラム生成処理において、心拍周期、一次差分値からＮ次差分値までの全てのヒストグラムを生成せず、心拍周期、一次差分値からＮ次差分値のうち被験者の睡眠段階の判定に必要なヒストグラムのみを生成する場合もある。
【００７３】
そして、Ｓ２０に移行し、睡眠段階判定処理が行われる。睡眠段階判定処理は、被験者の睡眠段階を判定する処理である。この睡眠段階の判定の仕方としては、リターンマップのみを用いる判定処理、ヒストグラムのみを用いる判定処理、リターンマップとヒストグラムを用いる判定処理がある。
【００７４】
まず、リターンマップのみを用いる判定処理においては、被験者の心拍状態に基づいて生成されたリターンマップと予め睡眠段階ごとに設定された判定用リターンマップと対比して被験者の睡眠段階が判定される。
【００７５】
例えば、心拍周期、一次差分値からＮ次差分値のいずれかについて、予め睡眠段階がわかっている心拍信号に基づき判定用リターンマップが生成され、その判定用リターンマップと被験者の心拍状態に基づくリターンマップを対比して、被験者の睡眠段階が判定される。
【００７６】
例えば、睡眠段階Ｓ１〜Ｓ３の判定を行う場合、図６に示すような判定用リターンマップを用い、被験者の心拍信号についてのリターンマップのデータ領域Ｓｘが睡眠段階Ｓ１〜Ｓ３に入っているか否かによって睡眠段階が判定される。睡眠段階Ｓ０、Ｓ４の判定については、図６とは別に設定されるリターンマップを用いて判別すればよい。
【００７７】
図６に示すように、被験者の心拍信号に基づくリターンマップのデータ領域Ｓｘが領域Ｓ２内に入っている場合には、被験者の睡眠段階がＳ２であると判定される。
【００７８】
一方、被験者の心拍信号に基づくリターンマップのデータ領域Ｓｘが領域Ｓ２とＳ３の双方に入っている場合には、睡眠段階Ｓ２とＳ３を識別するための識別用リターンマップを用いて睡眠段階を判定することが好ましい。
【００７９】
図７に示すように、予め睡眠段階がわかっている心拍信号（教師信号）を用いて心拍周期の０次リターンマップ、一次差分値の一次リターンマップ、二次差分値の二次リターンマップ…、Ｎ次差分値のＮ次リターンマップが作成され、睡眠段階Ｓ０とＳ１の分離度の高いリターンマップ、Ｓ１とＳ２の分離度の高いリターンマップ、Ｓ２とＳ３の分離度の高いリターンマップ、Ｓ３とＳ４の分離度の高いリターンマップがそれぞれ識別用リターンマップとして選択される。この選択の仕方としては、例えば近接する睡眠段階のリターンマップにおいてデータ領域が最も分離しているリターンマップを選択すればよい。図７の０次リターンマップの横軸Ｘｋ−１、縦軸Ｘｋは心拍周期値であり、１次〜Ｎ次リターンマップの横軸Ｘｋ−１、縦軸Ｘｋは１次〜Ｎ次差分値である。
【００８０】
図７においては、睡眠段階Ｓ０、Ｓ１の識別用リターンマップとして０次リターンマップのＳ０、Ｓ１が設定され、睡眠段階Ｓ１、Ｓ２の識別用リターンマップとして２次リターンマップのＳ１、Ｓ２が設定され、睡眠段階Ｓ２、Ｓ３の識別用リターンマップとして１次リターンマップのＳ２、Ｓ３が設定され、睡眠段階Ｓ３、Ｓ４の識別用リターンマップとしてＮ次リターンマップのＳ３、Ｓ４が設定されている。
【００８１】
そして、識別すべき睡眠段階の識別用リターンマップを用い、被験者の心拍信号に基づくリターンマップがより近似する識別用リターンマップを抽出し、抽出された識別用リターンマップの睡眠段階が被験者の睡眠段階として判定される。
【００８２】
また、判定用リターンマップにおいて、睡眠段階の領域以外の領域にデータ領域がある場合には、被験者のデータが異常であると判断することが好ましい。これにより、被験者について誤った睡眠段階が判定されることを防止することができる。
【００８３】
なお、リターンマップのみを用いヒストグラムを用いないで睡眠判定を行う場合には、Ｓ１６のヒストグラム生成処理を省略してもよい。
【００８４】
次に、ヒストグラムのみを用いる判定処理においては、被験者の心拍状態に基づいて生成されたヒストグラムと予め睡眠段階ごとに設定された判定用ヒストグラムと対比して被験者の睡眠段階が判定される。
【００８５】
例えば、心拍周期、一次差分値からＮ次差分値のいずれかについて、予め睡眠段階がわかっている心拍信号に基づき判定用ヒストグラムが生成され、その判定用ヒストグラムと被験者の心拍状態に基づくヒストグラムを対比して、被験者の睡眠段階が判定される。
【００８６】
また、被験者の心拍信号に基づくヒストグラムが判定用ヒストグラムを用いても睡眠段階の判定が困難な場合には、睡眠段階を識別するための識別用リターンマップを用いて睡眠段階を判定することが好ましい。
【００８７】
例えば、図８に示すように、予め睡眠段階がわかっている心拍信号（教師信号）を用いて心拍周期の０次ヒストグラム、一次差分値の一次ヒストグラム、二次差分値の二次ヒストグラム…、Ｎ次差分値のＮ次ヒストグラムが作成され、睡眠段階Ｓ０とＳ１の分離度の高いヒストグラム、Ｓ１とＳ２の分離度の高いヒストグラム、Ｓ２とＳ３の分離度の高いヒストグラム、Ｓ３とＳ４の分離度の高いヒストグラムがそれぞれ識別用ヒストグラムとして選択される。この選択の仕方としては、例えば近接する睡眠段階のヒストグラムにおいてデータ領域が最も分離しているヒストグラムを選択すればよい。図８の０次ヒストグラムの横軸Ｘは心拍周期値、縦軸は頻度ｆである。また、図８の１次〜Ｎ次ヒストグラムの横軸Ｘ（１）〜Ｘ（Ｎ）は１次〜Ｎ次差分値、縦軸Ｘｋは頻度ｆである。
【００８８】
図８においては、睡眠段階Ｓ０、Ｓ１の識別用ヒストグラムとして２次ヒストグラムのＳ０、Ｓ１が設定され、睡眠段階Ｓ１、Ｓ２の識別用ヒストグラムとして０次ヒストグラムのＳ１、Ｓ２が設定され、睡眠段階Ｓ２、Ｓ３の識別用ヒストグラムとして１次ヒストグラムのＳ２、Ｓ３が設定され、睡眠段階Ｓ３、Ｓ４の識別用ヒストグラムとしてＮ次ヒストグラムのＳ３、Ｓ４が設定されている。
【００８９】
そして、識別すべき睡眠段階の識別用ヒストグラムを用い、被験者の心拍信号に基づくヒストグラムがより近似する識別用ヒストグラムを抽出し、抽出された識別用ヒストグラムの睡眠段階が被験者の睡眠段階として判定される。
【００９０】
また、判定用ヒストグラムにおいて、睡眠段階の領域以外の領域にデータ領域がある場合には、被験者のデータが異常であると判断することが好ましい。これにより、被験者について誤った睡眠段階が判定されることを防止することができる。
【００９１】
なお、ヒストグラムのみを用いリターンマップを用いないで睡眠判定を行う場合には、Ｓ１４のヒストグラム生成処理を省略してもよい。
【００９２】
次に、リターンマップとヒストグラムの双方を用いて被験者の睡眠段階を判定する場合には、被験者の心拍信号に基づいて生成されたリターンマップ及びヒストグラムについて、判定用リターンマップ及び判定用ヒストグラムを用いて被験者の睡眠段階が判定される。このとき、例えば睡眠段階がＳ１、Ｓ２のいずれかであるか判定し難い場合など近接する睡眠段階において判定が困難な場合には、識別用リターンマップ及び識別用ヒストグラムを用いて被験者の睡眠段階が判定される。
【００９３】
その際、識別に用いる識別用リターンマップと識別用ヒストグラムにおいて、睡眠段階の分離度の高い方を用いて被験者の睡眠段階の識別することが好ましい。例えば、識別用リターンマップにおける睡眠段階の分離度が９０％であり、識別用ヒストグラムにおける睡眠段階の分離度が７０％である場合、分離度の高い識別用リターンマップを用いて被験者の睡眠段階が識別される。
【００９４】
この場合の分離度としては、例えば睡眠段階の異なる識別用リターンマップ同士のデータ領域の重複領域が１０％の場合に分離度が９０％と判断され、その重複領域が３０％の場合に分離度が７０％と判断される。また、この分離度としては、他の手法により設定してもよい。図９のＳ２０の処理を終了したら、一連の制御処理を終了する。
【００９５】
以上のように、本実施形態に係る睡眠判定装置及び睡眠判定方法によれば、被験者の心拍ごとの心拍周期を演算し、その心拍周期の前後の差分値を一次差分値とし、その一次差分値の前後の差分値を二次差分値として、予め設定されたＮ次差分値まで演算し、その心拍周期及び一次差分値からＮ次差分値までの差分値においてそれぞれの値の分布を示す分布データを生成し、予め設定される睡眠段階ごとの判定用分布データを参照し分布データ生成手段により生成された分布データに基づいて被験者の睡眠段階を判定する。これにより、被験者の心拍周期の変動状態のみならず、その変動状態の変動状態などを加味して被験者の睡眠段階を識別することができる。このため、被験者の睡眠段階を心拍情報に基づいて精度よく判定することができる。また、心拍信号を受けるごとに心拍周期及び差分値のデータを更新してリアルタイムで被験者の睡眠段階を判定することができる。
【００９６】
また、差分演算部３１により演算された心拍周期及び一次差分値からＮ次差分値までの差分値において前後の値をパラメータとするリターンマップを生成し、その生成されたリターンマップと予め睡眠段階ごとに設定された判定用リターンマップと対比して被験者の睡眠段階を判定することにより、被験者の心拍周期及びその変動状態などの時間的変化に基づいて被験者の睡眠段階を精度よく識別することができる。
【００９７】
また、近接する睡眠段階において分離度の高い識別用リターンマップを予め設定し、分布データ生成手段により生成されたリターンマップと識別用リターンマップと対比して被験者の睡眠段階を判定することにより、被験者の睡眠段階を精度よく識別することができる。
【００９８】
また、差分演算部３１により演算された心拍周期及び一次差分値からＮ次差分値までの差分値におけるヒストグラムを生成し、その生成されたヒストグラムと予め睡眠段階ごとに設定された判定用ヒストグラムと対比して被験者の睡眠段階を判定することにより、被験者の心拍周期及びその変動状態などの統計的データを加味して被験者の睡眠段階を精度よく識別することができる。
【００９９】
また、リターンマップとヒストグラムのうち分離度の高い方を用いて被験者の睡眠段階を識別することにより、被験者の睡眠段階をより精度よく識別することができ、正確な睡眠段階の判定が行える。
【０１００】
さらに、判定用ヒストグラムとして近接する睡眠段階において分離度の高い識別用ヒストグラムを予め設定し、分布データ生成手段により生成されたヒストグラムと識別用ヒストグラムと対比して被験者の睡眠段階を判定することにより、被験者の睡眠段階を精度よく識別することができる。
【０１０１】
なお、上述した実施形態は本発明に係る睡眠判定装置及び睡眠判定方法の実施形態を説明したものであり、本発明に係る睡眠判定装置及び睡眠判定方法は本実施形態に記載したものに限定されるものではない。本発明に係る睡眠判定装置及び睡眠判定方法は、各請求項に記載した要旨を変更しないように実施形態に係る睡眠判定装置を変形し、又は他のものに適用したものであってもよい。
【０１０２】
例えば、実施形態においては、被験者が車両の運転者である場合について説明したが、被験者が車両の運転者以外の者であってもよく、車両に乗車していないものであってもよい。
【図面の簡単な説明】
【０１０３】
【図１】本発明の実施形態に係る睡眠判定装置の構成概要図である。
【図２】心拍信号の説明図である。
【図３】図１の睡眠判定装置により演算される心拍周期及び差分値の説明図である。
【図４】図１の睡眠判定装置により生成されるリターンマップの説明図である。
【図５】図１の睡眠判定装置により生成されるヒストグラムの説明図である。
【図６】図１の睡眠判定装置の睡眠判定に用いられる判定用リターンマップの説明図である。
【図７】図１の睡眠判定装置の睡眠判定に用いられる識別用リターンマップの説明図である。
【図８】図１の睡眠判定装置の睡眠判定に用いられる識別用ヒストグラムの説明図である。
【図９】図１の睡眠判定装置の動作及び本実施形態に係る睡眠判定方法を示すフローチャートである。
【符号の説明】
【０１０４】
１…睡眠判定装置、２…心拍検出部、３…ＥＣＵ、４…出力部、３１…差分演算部、３２…リターンマップ生成部、３３…ヒストグラム生成部、３４…睡眠判定部、３５…データベース。
【図１】
2010057551.tif 000003
【図２】
2010057551.tif 000004
【図３】
2010057551.tif 000005
【図４】
2010057551.tif 000006
【図５】
2010057551.tif 000007
【図６】
2010057551.tif 000008
【図７】
2010057551.tif 000009
【図８】
2010057551.tif 000010
【図９】
2010057551.tif 000011